(57)【要約】      （修正有）【課題】大きさを任意の形状にできる照明装置を提供する。【解決手段】照明装置１は、長尺状の基台１０と、基台の長手方向に沿って配置される長尺状の支持部２０と、支持部の長手方向に沿って支持される長尺状の基板部３０と、基板部の長手方向に間隔を空けて実装される複数のＬＥＤ４０と、を有する。支持部２０は、一対の支持部材２１ａ、ｂを有し、一対の支持部材は、基台の長手方向に対して直交する方向に隙間を空けて基台に取り付けられ、基板部３０は、一対の基板を有し、一対の基板は、それぞれ一対の支持部材に支持される。【選択図】図２
0003207917.tif 000002
【実用新案登録請求の範囲】
【請求項１】
長尺状の基台と、
前記基台の長手方向に沿って配置される長尺状の支持部と、
前記支持部の長手方向に沿って支持される長尺状の基板部と、
前記基板部の長手方向に間隔を空けて実装される複数のＬＥＤと、
を有することを特徴とする照明装置。
【請求項２】
前記支持部は、一対の支持部材を有し、
前記一対の支持部材は、
前記基台の長手方向に対して直交する方向に隙間を空けて前記基台に取り付けられ、
前記基板部は、一対の基板を有し、
前記一対の基板は、それぞれ前記一対の支持部材に支持されることを特徴とする請求項１に記載の照明装置。
【請求項３】
前記一対の支持部材は、それぞれ入れ替えて前記基台に取り付け可能であることを特徴とする請求項２に記載の照明装置。
【請求項４】
前記一対の支持部材は、それぞれ同一の構造であることを特徴とする請求項２または３に記載の照明装置。
【請求項５】
前記支持部材は、前記基板を支持する基板支持部を有し、
前記一対の支持部材は、互いの前記基板支持部が相反する方向に傾斜した状態で前記基台に取り付けられ、
前記基板は、それぞれ前記複数のＬＥＤが直線状に複数列で配置され、
列ごと、あるいは、千鳥状に位置するＬＥＤごとに同じ色または異なる色を発光することを特徴とする請求項２ないし４の何れか１項に記載の照明装置。
【請求項６】
前記基板部は、
前記複数のＬＥＤが直線状に複数列で配置され、
列ごと、あるいは、千鳥状に位置するＬＥＤごとに同じ色または異なる色を発光することを特徴とする請求項１に記載の照明装置。
【考案の詳細な説明】
【技術分野】
【０００１】
本考案は、複数の発光ダイオード（以下、ＬＥＤという）を用いた照明装置に関するものである。
【背景技術】
【０００２】
近年、照明装置は省電力化や環境の面から蛍光灯からＬＥＤに置き換えられている。特許文献１の照明装置は、管体の内部に基板を収容する中空チャンバーを備え、中空チャンバーの内部に、複数のＬＥＤを搭載した基板を設置した照明装置が開示されている。
【先行技術文献】
【特許文献】
【０００３】
【特許文献１】実用新案登録第３１７１２４２号公報
【考案の概要】
【考案が解決しようとする課題】
【０００４】
しかしながら、特許文献１の照明装置は管タイプＬＥＤであり、例えば２０Ｗタイプの明るさを倍増する場合には、蛍光放電管と同様に２つの管体を配置する必要がある。したがって、照明装置の大きさは管体の大きさ及び使用数に左右されるため、任意の形状の照明装置を製作することは困難である。
本考案は、上述したような問題点に鑑みてなされたものであり、照明装置の大きさを任意の形状に構成できるようにすることを目的とする。
【課題を解決するための手段】
【０００５】
本考案の照明装置は、長尺状の基台と、前記基台の長手方向に沿って配置される長尺状の支持部と、前記支持部の長手方向に沿って支持される長尺状の基板部と、前記基板部の長手方向に間隔を空けて実装される複数のＬＥＤと、を有することを特徴とする。
【考案の効果】
【０００６】
本考案によれば、照明装置の大きさを任意の形状にできる。
【図面の簡単な説明】
【０００７】
【図１】第１の実施形態における照明装置の構成を示す図である。
【図２】第１の実施形態における照明装置の一部を拡大した図である。
【図３】第２の実施形態における照明装置の構成を示す図である。
【図４】第２の実施形態における照明装置の一部を拡大した図である。
【図５】第３の実施形態における照明装置の構成を示す図である。
【図６】第３の実施形態における照明装置の一部を拡大した図である。
【考案を実施するための形態】
【０００８】
以下、本考案に係る実施形態の照明装置について図面を参照して説明する。
本実施形態の照明装置は、ある程度の長さに亘って光を照射するように一方方向に沿って長い略直方体である。以下では、必要に応じて、照明装置の長手方向に対して直交し、かつ照明装置の後述する設置面に対して直交する方向を高さという。また、照明装置の長手方向に対して直交し、かつ照明装置の高さに直交する方向を幅という。
【０００９】
＜第１の実施形態＞
本実施形態の照明装置は、従来の１灯用あるいは２灯用の蛍光灯に相当する。
図１は、本実施形態に係る照明装置１の構成を示す図である。具体的には、図１（ａ）、（ｂ）、（ｃ）はそれぞれ照明装置１の平面図、側面図、正面図である。図２は、本実施形態に係る、グローブ５０を取り外した照明装置１の一部を拡大した図である。図２（ａ）、（ｂ）はそれぞれ平面図、側面図である。
照明装置１は、基台１０と、支持部２０と、基板部３０と、ＬＥＤ４０と、グローブ５０と、を備える。
【００１０】
基台１０は、照明装置１全体を支持すると共に、照明装置１を天井面等に設置するためのブラケットとして機能する。基台１０は、例えば薄板の鋼板を折り曲げることで形成される長尺状の略直方体である。基台１０は、中空状であって、内部に図示しない電源基板等が配置される。また、基台１０は、照明装置１を天井面等に設置あるいは吊下げるための設置面１１と、支持部２０を取り付けるための取付面１２とを有する。取付面１２は、基台１０の幅方向における両側で基台１０の長手方向に沿って形成される。両側の取付面１２の間は、高さ方向に開口し、基台１０の内部と連通している。設置面１１および取付面１２は互いに平行な面である。
【００１１】
支持部２０は、基板部３０を支持すると共に、基台１０の長手方向に沿って配置される。支持部２０は、例えば、アルミニウム合金等で形成された長尺状である。本実施形態の支持部２０は、一対の支持部材２１ａ、２１ｂを有する。一対の支持部材２１ａ、２１ｂはそれぞれ基台１０の長手方向に沿って平行に配置される。一対の支持部材２１ａ、２１ｂは、幅方向に隙間Ｇを空けて基台１０に取り付けられる。
【００１２】
図２（ｂ）に示すように、一対の支持部材２１ａ、２１ｂはそれぞれ、取付部２２と、基板支持部２３と、スペーサ部２５とが一体で構成される。
取付部２２は、長手方向に沿った平板状であって基台１０の取付面１２に対して取り付けられる。具体的には、取付部２２のうちスペーサ部２５が連結されていない端部側に図示しない取付孔が支持部材２１ａ、２１ｂの長手方向に沿って所定の間隔を空けて形成される。したがって、取付ボルト２６を取付部２２の取付孔を通して基台１０の取付面１２の図示しないねじ孔に螺合することで、一対の支持部材２１ａ、２１ｂを基台１０に取り付けることができる。
【００１３】
一例として、基板支持部２３は、支持面２４を有し、支持面２４で基板部３０を支持する。基板支持部２３は、基台１０の取付面１２に対して所定の角度で傾斜している。具体的には、図２（ｂ）に示すように側面図で見ると、一対の基板支持部２３は略「ハ」字状であって、互いに相反する方向に傾斜する。
スペーサ部２５は、基板支持部２３が取付部２２から所定の高さになるように取付部２２と基板支持部２３とを接続する。
【００１４】
ここで、本実施形態の支持部材２１ａ、２１ｂは、基台１０の長手方向に沿って見たときに照明装置１の幅方向の中心線に対して左右対称の形状である。また、本実施形態の支持部材２１ａ、２１ｂは、実装する複数のＬＥＤ４０を含め、互いに同一の構造である。したがって、支持部材２１ａ、２１ｂを基台１０からそれぞれ取り外し、互いに入れ替えたとしてそれぞれ基台１０に取り付けることができる。
【００１５】
基板部３０は、支持部２０の長手方向に沿って支持される。基板部３０は、例えば、アルミニウム合金で形成され、回路パターンが施された長尺状のプリント基板である。本実施形態の基板部３０は、基板３１ａ、３１ｂを有する。基板３１ａ、３１ｂはそれぞれ支持部材２１ａ、２１ｂの基板支持部２３に沿って配置される。基板３１ａ、３１ｂは実装面３２を有し、実装面３２に複数のＬＥＤ４０を基板３１ａ、３１ｂの長手方向に沿って直線状に実装する。基板３１ａ、３１ｂは製造性および組立て性を考慮して、それぞれ長手方向における略中心で分割して構成されている（図１（ａ）、（ｂ）を参照）。なお、基板３１ａ、３１ｂはそれぞれ長手方向の中心以外で３つ以上に分割してもよく、それぞれ一体であってもよい。
【００１６】
ＬＥＤ４０は、基板部３０に実装され、光を発光する。本実施形態では、図２（ａ）に示すように、複数のＬＥＤ４０が基板３１ａ、３１ｂの実装面３２にそれぞれ、長手方向に間隔を空けて実装される。また、本実施形態の各ＬＥＤ４０は、例えば白色ＬＥＤを用いることで白色光となり、他の発光色ＬＥＤを用いることで各種発光色灯具を構成可能となる。
【００１７】
グローブ５０は、ＬＥＤ４０が発光した光を拡散させた状態で外部に照射させる。グローブ５０は、支持部２０、基板部３０および複数のＬＥＤ４０を覆うことができる大きさであって、基台１０の取付面１２の外周に沿って取り付けられる。
【００１８】
上述したように構成される照明装置１において、各ＬＥＤ４０に電流を流すことで各ＬＥＤ４０が発光する。このとき、各ＬＥＤ４０は基板部３０に対して直線状に実装され、基板部３０はそれぞれ平行な状態で基台１０に取り付けられた長尺状の支持部２０に対して支持されていることから、照明装置１は長手方向に亘って光を照射する。
ここで、本実施形態の照明装置１では、基台１０に支持部２０を介して基板部３０が支持される構造であるために、ＬＥＤ４０と基台１０とを近接して配置することができる。本実施形態の照明装置１によれば、照度を上げるように構成する場合、ＬＥＤ４０の実装数を増加させたり、通電電流を増加させたりすることで照度を上げることが可能となる。したがって、従来のような管体内にＬＥＤ４０を収容する場合に比べて、照明装置１を小型化することができる。また、本実施形態の照明装置１によれば、基板部３０に対してＬＥＤ４０の実装する位置を自由に設計することができることから、従来のような管体内にＬＥＤ４０を収容する場合に比べて、照明装置１を任意の形状に構成することができる。
【００１９】
また、本実施形態の照明装置１では、基板３１ａ、３１ｂを支持する支持部材２１ａ、２１ｂの基板支持部２３がそれぞれ相反する方向に傾斜する。ここで、基台１０の長手方向に沿って見た場合にＬＥＤ４０の一つ一つに注目すると配光角度は小さいものの、基板支持部２３の支持面２４を傾斜させた分だけ、各ＬＥＤ４０全体で見たときの配光角度を蛍光灯と同程度に大きくすることができる。
【００２０】
また、本実施形態の照明装置１では、支持部材２１ａと支持部材２１ｂとの間には、幅方向に隙間Ｇが形成されている。このように、隙間Ｇを形成することで、支持部材２１ａと支持部材２１ｂとの間に温度が上昇した空気が停滞することを防止でき、隙間Ｇから温度が上昇した空気を流出させてグローブ５０および基台１０内で対流させることができる。したがって、ＬＥＤ４０の周囲の雰囲気温度が上昇することを防止できることから、ＬＥＤ４０の長寿命化を図ることができる。また、支持部２０および基板部３０を、放熱板として機能させることができることから、更にＬＥＤ４０の長寿命化を図ることができる。
【００２１】
また、本実施形態の照明装置１では、一対の支持部材２１ａ、２１ｂは基台１０からそれぞれ取り外し、互いに入れ替えて基台１０に取り付け可能である。また、本実施形態の照明装置１では、一対の支持部材２１ａ、２１ｂは、それぞれ同一の構造である。したがって、支持部材２１ａ、２１ｂを区別して製造および管理する必要がなく、製造コストおよび管理コストを削減することができる。また、ＬＥＤ４０の光束が減衰したりＬＥＤ４０が破損したりして、支持部材２１ａ、２１ｂを交換するときに、支持部材２１ａ、２１ｂを区別する必要がないことから容易に交換することができる。このように、支持部材２１ａ、２１ｂごと交換するのは、それぞれ基板３１ａ、３１ｂが分割されている場合に効果がある。例えば、基板３１ａのうち分割された一つの基板のみを交換した場合には交換しない基板との間で照度が異なってしまうことがあり、支持部材２１ａ、２１ｂごと交換することで分割された基板ごとの照度の異なりを防止することができる。
【００２２】
＜第２の実施形態＞
本実施形態の照明装置は、従来の２灯用の蛍光灯に相当する。
図３は、本実施形態に係る照明装置２の構成を示す図である。具体的には、図３（ａ）、（ｂ）、（ｃ）はそれぞれ照明装置２の平面図、側面図、正面図である。図４は、本実施形態に係る、グローブ５０を取り外した照明装置２の一部を拡大した図である。図４（ａ）、（ｂ）はそれぞれ平面図、側面図である。なお、第１の実施形態と同様の構成は同一符号を付している。
【００２３】
本実施形態の基板部６０は、基板６１ａ、６１ｂを有する。基板６１ａ、６１ｂはそれぞれ実装面６２を有し、実装面６２に複数のＬＥＤ７０を基台１０の長手方向に沿ってそれぞれ複数列（具体的には２列）で直線状に実装する。ＬＥＤ７０の２列は、互いに平行である。ここで、基板６１ａ、６１ｂは、それぞれ第１の実施形態と同様に、支持部材２１ａ、２１ｂの基板支持部２３によって支持されている。したがって、基板支持部２３が傾斜している分だけ、ＬＥＤ７０の２つの列のうち、一方の列が基台１０から離間し、他方の列が基台１０に近接する。
本実施形態では、ＬＥＤ７０の２つの列のうち一方の列と他方の列とで、異なる色を発光する２種類のＬＥＤ７１ａ、７１ｂが用いられている。ここでは、ＬＥＤ７１ａは白色の光を発光する。一方、ＬＥＤ７１ｂは他の色を発光する。
【００２４】
上述したように構成される照明装置２において、各ＬＥＤ７１ａに電流を流すことで各ＬＥＤ７１ａが発光して、白色の光を照射する。一方、各ＬＥＤ７１ｂに電流を流すことで各ＬＥＤ７１ｂが発光して、他の色の光を照射する。このとき、各ＬＥＤ７１ａ、７１ｂは基板６１ａ、６１ｂに対してそれぞれ直線状に実装され、基板６１ａ、６１ｂはそれぞれ平行な状態で基台１０に取り付けられた長尺状の支持部材２１ａ、２１ｂに支持されていることから、照明装置２は長手方向に亘って白色の光あるいは他の色の光を照射する。使用者は照明装置２の図示しないスイッチを操作すること等で、照射させたい色に対応したＬＥＤ７１ａ、７１ｂを発光させることができる。
ここで、本実施形態の照明装置２では、基台１０に支持部２０を介して基板部６０が支持される構造であるために、ＬＥＤ７１ａ、７１ｂと基台１０とを近接して配置することができる。したがって、従来のように管体内にＬＥＤ７１ａ、７１ｂを収容する場合に比べて照明装置２を小型化することができる。また、異なる色を発光するＬＥＤ７１ａとＬＥＤ７１ｂとを近接させることができるので、異なる色を発光させたい場合でも照明装置２を小型化することができる。
【００２５】
また、本実施形態の照明装置２では、一対の支持部材２１ａ、２１ｂが、異なる色を発光するＬＥＤ７１ａ、７１ｂをそれぞれ実装した基板６１ａ、６１ｂを支持していることから、何れの色でも均一に光を照射させることができる。すなわち、従来のように異なる色を発する管体を隣接させた場合には、一方の管体から光を照射させた場合には他方の管体によって光が遮光される虞がある。しかしながら、本実施形態によれば、基板６１ａ、６１ｂごとに異なる色を発光するＬＥＤ７１ａ、７１ｂを実装していることから、遮光されることなく何れの色でも均一に光を照射させることができる。
【００２６】
なお、本実施形態では、ＬＥＤ７１ａが白色の光を発光し、ＬＥＤ７１ｂが他の色の光を発光する場合について説明したが、この場合に限られず、ＬＥＤ７１ａとＬＥＤ７１ｂとは同じ色を発光するように構成してもよい。
また、本実施形態では、列ごとに異なる色を発光する場合について説明したが、この場合に限られず、各基板６１ａ、６１ｂにおいて、千鳥状に位置するＬＥＤ７０ごとに異なる色を発光するように構成してもよい。例えば、図４（ａ）に示すＬＥＤ７０のうち符号に下線を付したＬＥＤ７０が白色の光を発光し、下線を付していないＬＥＤ７０が他の色の光を発光するように構成してもよい。
【００２７】
＜第３の実施形態＞
本実施形態の照明装置は、従来の２灯用の蛍光灯に相当する。
図５は、本実施形態に係る照明装置３の構成を示す図である。具体的には、図５（ａ）、（ｂ）、（ｃ）はそれぞれ照明装置３の平面図、側面図、正面図である。図６は、本実施形態に係る、ルーバ１２０を取り外した照明装置３の一部を拡大した図である。図６（ａ）、（ｂ）はそれぞれ平面図、一部を切断した状態の側面図である。なお、第１の実施形態と同様の構成は同一符号を付している。
照明装置３は、基台８０と、支持部９０と、基板部１００と、ＬＥＤ１１０と、ルーバ１２０と、を備える。
【００２８】
基台８０は、照明装置３全体を支持すると共に、照明装置３を天井面等に設置するためのブラケットとして機能する。基台８０は、例えば薄板の鋼板を折り曲げることで形成される長尺状であって、高さ方向の一方側が開口する直方体である。基台８０は、照明装置３を天井面等に設置あるいは吊下げるための設置面８１と、支持部９０を取り付けるための取付面８２とを有する。
【００２９】
支持部９０は、基板部１００を支持すると共に、基台８０の長手方向に沿って配置される。支持部９０は、例えば、アルミニウム合金等で形成された略直方体である。支持部９０は、中空状であって、内部に図示しない電源基板等が配置される。
図６（ｂ）に示すように、支持部９０は、本体部９１と、基板支持部９２とを有する。本体部９１は高さ方向の一方側が開口し、取付面８２から所定の高さになるように基板支持部９２を位置決めする。基板支持部９２は長手方向に沿った平板状であって、本体部９１の開口を閉塞するように本体部９１に取り付けられる。具体的には、基板支持部９２の幅方向の両側に図示しない取付孔が長手方向に沿って所定の間隔を空けて形成される。したがって、取付ボルト２６を取付孔を通して本体部９１の図示しないねじ孔に螺合することで、基板支持部９２を本体部９１に取り付けることができる。
【００３０】
基板部１００は、支持部９０の基板支持部９２に沿って支持される。基板部１００は、例えば、アルミニウム合金で形成され、回路パターンが施された長尺状のプリント基板である。基板部１００は実装面１０１を有し、実装面１０１に複数のＬＥＤ１１０を基板部１００の長手方向に沿って直線状に実装する。基板部１００は製造性および組立て性を考慮して、それぞれ長手方向における略中心で分割して構成されている。なお、基板部１００はそれぞれ長手方向の中心以外で３つ以上に分割してもよく、それぞれ一体であってもよい。
【００３１】
基板部１００は、実装面１０１に複数のＬＥＤ１１０を基台８０の長手方向に沿って複数列（具体的には２列）で直線状に実装する。ＬＥＤ１１０の２列は、互いに平行である。
本実施形態では、ＬＥＤ１１０の２つの列のうち一方の列と他方の列とで、異なる色を発光する２種類のＬＥＤ１１１ａ、１１１ｂが用いられている。ここでは、ＬＥＤ１１１ａは白色の光を発光する。一方、ＬＥＤ１１１ｂは他の色を発光する。
【００３２】
ルーバ１２０は、ＬＥＤ１１０が発光した光を照明装置３の高さ方向に沿った方向に照射させるように指向させる。ルーバ１２０は、薄板が格子状になるように構成され、基台８０の開口を覆うことができる大きさを有し、基台８０の外周に沿って取り付けられる。
【００３３】
上述したように構成される照明装置３において、各ＬＥＤ１１１ａに電流を流すことで各ＬＥＤ１１１ａから白色の光が照射される。各ＬＥＤ１１１ｂも同様に電流を流すことで各ＬＥＤ１１１ｂから他の色の光が照射される。このとき、各ＬＥＤ１１１ａ、１１１ｂは基板部１００に対してそれぞれ直線状に実装され、基板部１００は平行な状態で基台８０に取り付けられた長尺状の支持部９０に対して支持されていることから、照明装置３は長手方向に亘って白色の光あるいは他の色の光を照射する。使用者は照明装置３の図示しないスイッチを操作すること等で、照射させたい色に対応したＬＥＤ１１１ａ、１１１ｂを発光させることができる。
ここで、本実施形態の照明装置３では、ＬＥＤ１１１ａ、１１１ｂが従来のように管体内に収容されることなく、基台８０に支持部９０を介して支持される構造であるために、ＬＥＤ１１１ａ、１１１ｂと基台８０とを近接して配置することができる。したがって、従来のように管体内にＬＥＤ１１１ａ、１１１ｂを収容する場合に比べて照明装置３を小型化することができる。また、異なる色を発光するＬＥＤ１１１ａとＬＥＤ１１１ｂとを近接させることができるので管体サイズの制約を受けず、異なる色を発光させたい場合でも照明装置３を小型化することができる。
【００３４】
また、本実施形態の照明装置３では、何らかの理由でＬＥＤ１１０または基板部１００が破損したりした場合には、基板部１００もしくは基板支持部９２ごと交換することで、ＬＥＤ１１０を容易に交換することができる。また、長期間の使用によってＬＥＤ１１０が劣化した場合も、同様に交換が可能となる。なお、基板支持部９２ごと交換するのは、基板支持部９２を支持する基板部１００が分割されている場合に効果がある。例えば、基板部１００のうち分割された一つの基板部のみを交換した場合には交換しない基板部との間で発光する照度が異なってしまうことがあり、基板支持部９２ごと交換することで分割された基板部ごとの照度の異なりを防止することができる。
【００３５】
なお、本実施形態では、ＬＥＤ１１１ａが白色の光を発光し、ＬＥＤ１１１ｂが他の色の光を発光する場合について説明したが、この場合に限られず、ＬＥＤ１１１ａとＬＥＤ１１１ｂとは同じ色を発光するように構成してもよい。
また、本実施形態では、列ごとに異なる色を発光する場合について説明したが、この場合に限られず、基板部１００において、千鳥状に位置するＬＥＤ１１０ごとに異なる色を発光するように構成してもよい。例えば、図６（ａ）に示すＬＥＤ１１０のうち符号に下線を付したＬＥＤ１１０が白色の光を発光し、下線を付していないＬＥＤ１１０が他の色の光を発光するように構成してもよい。
【００３６】
以上、本考案を上述した実施形態により説明したが、本考案は上述した実施形態に限定されるものではなく、本考案の範囲内で変更等が可能である。
【符号の説明】
【００３７】
１〜３：照明装置  １０：基台  ２０：支持部  ２１ａ、２１ｂ：支持部材  ２３：基板支持部  ３０：基板部  ３１ａ、３１ｂ：基板  ４０：ＬＥＤ  ６０：基板部  ６１ａ、６１ｂ：基板  ７０（７１ａ、７１ｂ）：ＬＥＤ  ８０：基板  ９０：支持部  １００：基板部  １１０（１１１ａ、１１１ｂ）：ＬＥＤ
【図１】
0003207917.tif 000003
【図２】
0003207917.tif 000004
【図３】
0003207917.tif 000005
【図４】
0003207917.tif 000006
【図５】
0003207917.tif 000007
【図６】
0003207917.tif 000008